【手続補正書】
【提出日】平成17年1月31日(2005.1.31)
【手続補正１】
【補正対象書類名】明細書
【補正対象項目名】発明の名称
【補正方法】変更
【補正の内容】
【発明の名称】印刷システムにおけるログ情報管理方法及び装置及びプログラム
【手続補正２】
【補正対象書類名】明細書
【補正対象項目名】特許請求の範囲
【補正方法】変更
【補正の内容】
【特許請求の範囲】
【請求項１】
クライアントからの印刷要求に基づき印刷処理を実行するとともに、該印刷処理に関するログ情報を第１の記憶手段に順次記憶する印刷システムにおけるログ情報管理方法において、
予め指定された時間毎に前記第１の記憶手段に記憶された各ログ情報の中の所定の情報を抽出し、該抽出した情報を第２の記憶手段にバックアップする第１のステップと、
前記第１のステップでバックアップした情報に対応するログ情報を前記第１の記憶手段から削除する第２のステップと
を具備することを特徴とする印刷システムにおけるログ情報管理方法。
【請求項２】
前記第１のステップで前記第２の記憶手段にバックアップされる情報は、
前記第１の記憶手段に記憶された各ログ情報の中の課金処理に必要な課金情報である
ことを特徴とする請求項１記載の印刷システムにおけるログ情報管理方法。
【請求項３】
前記第１のステップで前記第２の記憶手段にバックアップされる情報は、
前記第１の記憶手段に記憶された各ログ情報の中のトラブル解析処理に必要な動作情報である
ことを特徴とする請求項１記載の印刷システムにおけるログ情報管理方法。
【請求項４】
前記第２のステップは、
今回のバックアップの日時から予め設定された削除禁止期間を差し引いた日時が前回前記第１のステップでバックアップした日時より新しい場合は、前記今回のバックアップの日時から予め設定された削除禁止期間を差し引いた日時より過去のログ情報を削除する
ことを特徴とする請求項１記載の印刷システムにおけるログ情報管理方法。
【請求項５】
クライアントからの印刷要求に基づき印刷処理を実行するとともに、該印刷処理に関するログ情報を第１の記憶手段に順次記憶する印刷システムにおけるログ情報管理方法において、
前記第１の記憶手段に記憶されたログ情報の件数を検出する第１のステップと、
前記第１のステップで検出した前記第１の記憶手段に記憶されたログ情報の件数が予め指定された件数に達した場合は、前記第１の記憶手段に記憶された各ログ情報の中の所定の情報を抽出し、該抽出した情報を第２の記憶手段にバックアップする第２のステップと、
前記第２のステップでバックアップした情報に対応するログ情報を前記第１の記憶手段から削除する第３のステップと
を具備することを特徴とする印刷システムにおけるログ情報管理方法。
【請求項６】
前記第２のステップで前記第２の記憶手段にバックアップされる情報は、
前記第１の記憶手段に記憶された各ログ情報の中の課金処理に必要な課金情報である
ことを特徴とする請求項５記載の印刷システムにおけるログ情報管理方法。
【請求項７】
前記第２のステップで前記第２の記憶手段にバックアップされる情報は、
前記第１の記憶手段に記憶された各ログ情報の中のトラブル解析処理に必要な動作情報である
ことを特徴とする請求項５記載の印刷システムにおけるログ情報管理方法。
【請求項８】
前記第３のステップは、
現在の日時から予め設定された削除禁止期間を差し引いた日時より過去のログ情報を削除する
ことを特徴とする請求項１記載の印刷システムにおけるログ情報管理方法。
【請求項９】
クライアントからの印刷要求に基づき印刷処理を実行する印刷システムにおけるログ情報管理装置において、
前記印刷処理に関するログ情報を順次記憶する第１の記憶手段と、
前記第１の記憶手段に記憶された各ログ情報の中の所定の情報を予め指定された時間毎に抽出して第２の記憶手段にバックアップするバックアップ手段と、
前記バックアップ手段でバックアップした情報に対応するログ情報を前記第１の記憶手段から削除するログ情報削除手段と
を具備することを特徴とする印刷システムにおけるログ情報管理装置。
【請求項１０】
前記バックアップ手段により前記第２の記憶手段にバックアップされる情報は、
前記第１の記憶手段に記憶された各ログ情報の中の課金処理に必要な課金情報である
ことを特徴とする請求項９記載の印刷システムにおけるログ情報管理装置。
【請求項１１】
前記バックアップ手段により前記第２の記憶手段にバックアップされる情報は、
前記第１の記憶手段に記憶された各ログ情報の中のトラブル解析処理に必要な動作情報である
ことを特徴とする請求項９記載の印刷システムにおけるログ情報管理装置。
【請求項１２】
前記ログ情報削除手段は、
今回のバックアップの日時から予め設定された削除禁止期間を差し引いた日時が前回前記バックアップ手段でバックアップした日時より新しい場合は、前記今回のバックアップの日時から予め設定された削除禁止期間を差し引いた日時より過去のログ情報を削除する
ことを特徴とする請求項９記載の印刷システムにおけるログ情報管理装置。
【請求項１３】
クライアントからの印刷要求に基づき印刷処理を実行する印刷システムにおけるログ情報管理装置において、
前記印刷処理に関するログ情報を順次記憶する第１の記憶手段と、
前記第１の記憶手段に記憶されたログ情報の件数が予め指定された件数に達した否かを判別する判別手段と、
前記判別手段により前記第１の記憶手段に記憶されたログ情報の件数が予め指定された件数に達したと判別された場合は、前記第１の記憶手段に記憶された各ログ情報の中の所定の情報を抽出して第２の記憶手段にバックアップするバックアップ手段と、
前記バックアップ手段でバックアップした情報に対応するログ情報を前記第１の記憶手段から削除するログ情報削除手段と
を具備することを特徴とする印刷システムにおけるログ情報管理装置。
【請求項１４】
前記バックアップ手段により前記第２の記憶手段にバックアップされる情報は、
前記第１の記憶手段に記憶された各ログ情報の中の課金処理に必要な課金情報である
ことを特徴とする請求項１３記載の印刷システムにおけるログ情報管理装置。
【請求項１５】
前記バックアップ手段により前記第２の記憶手段にバックアップされる情報は、
前記第１の記憶手段に記憶された各ログ情報の中のトラブル解析処理に必要な動作情報である
ことを特徴とする請求項１３記載の印刷システムにおけるログ情報管理装置。
【請求項１６】
前記ログ情報削除手段は、
現在の日時から予め設定された削除禁止期間を差し引いた日時より過去のログ情報を削除する
ことを特徴とする請求項１３記載の印刷システムにおけるログ情報管理装置。
【請求項１７】
クライアントからの印刷要求に基づき印刷処理を実行するとともに、該印刷処理に関するログ情報を第１の記憶手段に順次記憶する印刷システムにおけるログ情報管理処理をコンピュータに実行させるログ情報管理プログラムであって、
予め指定された時間毎に前記第１の記憶手段に記憶された各ログ情報の中の所定の情報を抽出し、該抽出した情報を第２の記憶手段にバックアップする第１のステップと、
前記第１のステップでバックアップした情報に対応するログ情報を前記第１の記憶手段から削除する第２のステップと
を含むことを特徴とする印刷システムにおけるログ情報管理プログラム。
【請求項１８】
クライアントからの印刷要求に基づき印刷処理を実行するとともに、該印刷処理に関するログ情報を第１の記憶手段に順次記憶する印刷システムにおけるログ情報管理処理をコンピュータに実行させるログ情報管理プログラムであって、
前記第１の記憶手段に記憶されたログ情報の件数を検出する第１のステップと、
前記第１のステップで検出した前記第１の記憶手段に記憶されたログ情報の件数が予め指定された件数に達した場合は、前記第１の記憶手段に記憶された各ログ情報の中の所定の情報を抽出し、該抽出した情報を第２の記憶手段にバックアップする第２のステップと、
前記第２のステップでバックアップした情報に対応するログ情報を前記第１の記憶手段から削除する第３のステップと
を含むことを特徴とする印刷システムにおけるログ情報管理プログラム。
【手続補正３】
【補正対象書類名】明細書
【補正対象項目名】０００１
【補正方法】変更
【補正の内容】
【０００１】
【産業上の利用分野】
本発明は、クライアントからの印刷要求に基づき印刷処理を実行するとともに、該印刷処理に関するログ情報を第１の記憶手段に順次記憶する印刷システムにおけるログ情報管理方法及び装置に関し、特に、ディスク資源を効果的に利用しつつ、削除されると困る課金処理やトラブル解析処理に必要な情報をシステムや利用者の運用に合わせて適切にバックアップすることが可能な印刷システムにおけるログ情報管理方法及び装置及びプログラムに関するものである。
【手続補正４】
【補正対象書類名】明細書
【補正対象項目名】００１１
【補正方法】変更
【補正の内容】
【００１１】
そこで、本発明は上記実状を鑑み、ディスク資源を効果的に利用しつつ、削除されると困る課金処理やトラブル解析処理に必要な情報をシステムや利用者の運用に合わせて適切にバックアップすることが可能な印刷システムにおけるログ情報管理方法及び装置及びプログラムの提供を目的とするものである。
【手続補正５】
【補正対象書類名】明細書
【補正対象項目名】００２７
【補正方法】変更
【補正の内容】
【００２７】
また、請求項１６の発明は、請求項１３の発明において、前記ログ情報削除手段は、現在の日時から予め設定された削除禁止期間を差し引いた日時より過去のログ情報を削除することを特徴とする。  
また、請求項１７の発明は、クライアントからの印刷要求に基づき印刷処理を実行するとともに、該印刷処理に関するログ情報を第１の記憶手段に順次記憶する印刷システムにおけるログ情報管理処理をコンピュータに実行させるログ情報管理プログラムであって、予め指定された時間毎に前記第１の記憶手段に記憶された各ログ情報の中の所定の情報を抽出し、該抽出した情報を第２の記憶手段にバックアップする第１のステップと、前記第１のステップでバックアップした情報に対応するログ情報を前記第１の記憶手段から削除する第２のステップとを含むことを特徴とする。  
また、請求項１８の発明は、クライアントからの印刷要求に基づき印刷処理を実行するとともに、該印刷処理に関するログ情報を第１の記憶手段に順次記憶する印刷システムにおけるログ情報管理処理をコンピュータに実行させるログ情報管理プログラムであって、前記第１の記憶手段に記憶されたログ情報の件数を検出する第１のステップと、前記第１のステップで検出した前記第１の記憶手段に記憶されたログ情報の件数が予め指定された件数に達した場合は、前記第１の記憶手段に記憶された各ログ情報の中の所定の情報を抽出し、該抽出した情報を第２の記憶手段にバックアップする第２のステップと、前記第２のステップでバックアップした情報に対応するログ情報を前記第１の記憶手段から削除する第３のステップとを含むことを特徴とする。